(57)【要約】【課題】入力装置から入力された情報の記憶先を柔軟に選択することができる情報入力システムを提供する【解決手段】  情報処理装置１０１と接続され、接続された情報処理装置に情報を転送可能な入力装置１００であって、入力された情報を記憶するための記憶部１０３と、情報処理装置が入力装置に接続されたか否かを検出する接続検出部１０６と、接続検出部により情報処理装置が入力装置に接続されたことを検出した場合に、入力された情報を記憶部に記憶した後、記憶部から情報処理装置に転送するように制御する制御部１０２ａとを具備する。【選択図】      図１
2006121715.tif 000002
【特許請求の範囲】
【請求項１】
情報処理装置と接続され、接続された前記情報処理装置に情報を転送可能な入力装置であって、
入力された情報を記憶するための記憶手段と、
前記情報処理装置が前記入力装置に接続されたか否かを検出する接続検出手段と、
前記接続検出手段により前記情報処理装置が前記入力装置に接続されたことを検出した場合に、前記入力された情報を前記記憶手段に記憶した後、前記記憶手段から前記情報処理装置に転送するように制御する制御手段とを具備することを特徴とする入力装置。
【請求項２】
情報処理装置と接続され、接続された前記情報処理装置に情報を転送可能な入力装置であって、
入力される情報の記録を指示する記録指示手段と、
前記記録指示手段によって記録が指示された情報を記憶するための記憶手段と、
前記情報処理装置が前記入力装置に接続されたか否かを検出する接続検出手段と、
前記接続検出手段により前記情報処理装置が前記入力装置に接続されたことを検出した後、前記記録指示手段によって記録指示された場合に、記録指示された情報を前記記憶手段には記憶した後、前記記憶手段から前記情報処理装置に転送するように制御する制御手段とを具備することを特徴とする入力装置。
【請求項３】
情報処理装置と接続され、接続された前記情報処理装置に情報を転送可能な入力装置であって、
入力された情報を記憶するための記憶手段と、
前記情報処理装置が前記入力装置に接続されたか否かを検出する接続検出手段と、
前記記憶手段の情報記憶可能領域を検出する有効領域検出手段と、
前記接続検出手段により前記情報処理装置が前記入力装置に接続されたことが検出され、且つ前記有効領域検出手段により前記記憶手段に記憶可能領域があることが検出された場合に、前記入力された情報を前記記憶手段に記憶した後、前記記憶手段から前記情報処理装置に転送するように制御する制御手段とを具備することを特徴とする入力装置。
【請求項４】
情報処理装置と接続され、接続された前記情報処理装置に情報を転送可能な入力装置であって、
入力される情報の記録を指示する記録指示手段と、
前記記録指示手段によって記録が指示された情報を記憶するための記憶手段と、
前記情報処理装置が前記入力装置に接続されたか否かを検出する接続検出手段と、
前記記憶手段の情報記憶可能領域を検出する有効領域検出手段と、
前記接続検出手段により前記情報処理装置が前記入力装置に接続されたことを検出した後に、前記記録指示手段によって記録指示され、且つ前記有効領域検出手段により前記記憶手段に記憶可能領域があることが検出された場合に、記録指示された情報を前記記憶手段に記憶した後、前記記憶手段から前記情報処理装置に転送するように制御する制御手段とを具備することを特徴とする入力装置。
【請求項５】
入力された情報を記憶するための記憶手段と、情報処理装置が接続されたか否かを検出する接続検出手段とを具備し、接続された前記情報処理装置に入力された情報を転送可能な入力装置の制御方法であって、
前記接続検出手段により前記情報処理装置が接続されたことを検出した場合に、前記入力された情報を前記記憶手段に記憶した後、前記記憶手段から前記情報処理装置に転送することを特徴とする情報入力システムの制御方法。
【請求項６】
入力される情報の記録を指示する記録指示手段と、前記記録指示手段によって記録が指示された情報を記憶するための記憶手段と、情報処理装置が接続されたか否かを検出する接続検出手段とを具備し、接続された前記情報処理装置に記録指示された情報を転送可能な入力装置の制御方法であって、
前記接続検出手段により前記情報処理装置が接続されたことを検出した後に、前記記録指示手段によって記録指示された場合に、記録指示された情報を前記記憶手段に記憶した後、前記記憶手段から前記情報処理装置に転送することを特徴とする入力装置の制御方法。
【請求項７】
入力された情報を記憶するための記憶手段と、前記記憶手段の情報記憶可能領域を検出する有効領域検出手段と、情報処理装置が接続されたか否かを検出する接続検出手段とを具備し、接続された前記情報処理装置に入力された情報を転送可能な入力装置の制御方法であって、
前記接続検出手段により前記情報処理装置が接続されたことを検出し、且つ前記有効領域検出手段により前記記憶手段に記憶可能領域があることが検出された場合に、前記入力された情報を前記記憶手段に記憶した後、前記記憶手段から前記情報処理装置に転送することを特徴とする情報入力システムの制御方法。
【請求項８】
入力される情報の記録を指示する記録指示手段と、前記記録指示手段によって記録が指示された情報を記憶するための記憶手段と、前記記憶手段の情報記憶可能領域を検出する有効領域検出手段と、情報処理装置が接続されたか否かを検出する接続検出手段とを具備し、接続された前記情報処理装置に記録指示された情報を転送可能な入力装置の制御方法であって、
前記接続検出手段により前記情報処理装置が前記入力装置に接続されたことを検出した後に、前記記録指示手段によって記録指示され、且つ前記有効領域検出手段により前記記憶手段に記憶可能領域があることを検出した場合に、記録指示された情報を前記記憶手段に記憶した後、前記記憶手段から前記情報処理装置に転送するように前記情報処理装置に転送することを特徴とする入力装置の制御方法。
【請求項９】
入力された情報を記憶するための記憶手段と、情報処理装置が接続されたか否かを検出する接続検出手段とを具備し、接続された前記情報処理装置に入力された情報を転送可能な入力装置を制御する制御プログラムを記憶した記憶媒体であって、前記制御プログラムは、
前記接続検出手段により前記情報処理装置が接続されたことを検出した場合に、前記入力された情報を前記記憶手段に記憶した後、前記記憶手段から前記情報処理装置に転送する工程のコードを有することを特徴とする記憶媒体。
【請求項１０】
入力される情報の記録を指示する記録指示手段と、前記記録指示手段によって記録が指示された情報を記憶するための記憶手段と、情報処理装置が接続されたか否かを検出する接続検出手段とを具備し、接続された前記情報処理装置に記録指示された情報を転送可能な入力装置を制御する制御プログラムを記憶した記憶媒体であって、前記制御プログラムは、
前記接続検出手段により前記情報処理装置が接続されたことを検出した後に、前記記録指示手段によって記録指示された場合に、記録指示された場合に、記録指示された情報を前記記憶手段には記憶した後、前記記憶手段から前記情報処理装置に転送する工程のコードを有することを特徴とする記憶媒体。
【請求項１１】
入力された情報を記憶するための記憶手段と、前記記憶手段の情報記憶可能領域を検出する有効領域検出手段と、情報処理装置が接続されたか否かを検出する接続検出手段とを具備し、接続された前記情報処理装置に入力された情報を転送可能な入力装置を制御する制御プログラムを記憶した記憶媒体であって、前記制御プログラムは、
前記接続検出手段により前記情報処理装置が接続されたことを検出し、且つ前記有効領域検出手段により前記記憶手段に記憶可能領域があることが検出された場合に、前記入力された情報を前記記憶手段に記憶した後、前記記憶手段から前記情報処理装置に転送する工程のコードを有することを特徴とする記憶媒体。
【請求項１２】
入力される情報の記録を指示する記録指示手段と、前記記録指示手段によって記録が指示された情報を記憶するための記憶手段と、前記記憶手段の情報記憶可能領域を検出する有効領域検出手段と、情報処理装置が接続されたか否かを検出する接続検出手段とを具備し、接続された前記情報処理装置に記録指示された情報を転送可能な入力装置を制御する制御プログラムを記憶した記憶媒体であって、前記制御プログラムは、
前記接続検出手段により前記情報処理装置が接続されたことを検出した後に、前記記録指示手段によって記録指示され、且つ前記有効領域検出手段により前記記憶手段に記憶可能領域があることを検出した場合に、記録指示された情報を前記記憶手段には記憶した後、前記記憶手段から前記情報処理装置に転送する工程のコードを有することを特徴とする記憶媒体。
【発明の詳細な説明】
【技術分野】
【０００１】
本発明は、例えば、動画、静止画を撮影するデジタルカメラシステム等の入力装置及びその制御方法及び記憶媒体に関するものである。
【背景技術】
【０００２】
従来から、デジタルカメラで撮影した画像データや音声データ等をデジタルカメラ内部に実装されているメモリー等の記録装置に記録したり、デジタルカメラに着脱可能な記録媒体に記録したりしていた。また、デジタルカメラとコンピュータ（以下ＰＣ）等の情報処理装置をケーブル等で接続し、上記デジタルカメラ内部の記録装置や、上記デジタルカメラに着脱可能な記録媒体に記録されている画像データ等の情報をＰＣに転送するシステムが考案、製品化されてきた（特許文献１参照）。
【特許文献１】特開平８−１９１４１０号公報
【発明の開示】
【発明が解決しようとする課題】
【０００３】
しかしながら、上記従来の技術においては、デジタルカメラをＰＣと接続して撮影するようなシステム、たとえば業務で使用する画像データを連続して撮影し、撮影したデータをそのままＰＣで処理、管理するようなシステムにおいても、撮影した画像データは、一旦デジタルカメラ内部にある上記記録装置や、デジタルカメラに着脱可能な記録装置に記録し、その後、そのデータをケーブルを介してＰＣに転送し、処理、保存するという方法をとっていた。そのため、デジタルカメラ内部の記録装置や、着脱可能な記録媒体には、画像データ等が溜まっていき、上記記録装置や上記記録媒体がいっぱいになると記録できなくなり、それら画像データを削除してから、もしくは記録媒体を別のものに交換してからでないと撮影できないという問題があった。
【０００４】
また、デジタルカメラ内部に記録装置を持たず、デジタルカメラに着脱可能な記録媒体のみを有しているデジタルカメラを用いて、上述した撮影した画像データ等をＰＣに転送して処理、管理するシステムを構成する場合、撮影画像データ等は、ＰＣで処理、管理されるため、その着脱可能な記録媒体に保存しておく必要がない場合であっても、上記の着脱可能な記録媒体がデジタルカメラに装着されていなければ、撮影ができないという問題があった。
【０００５】
従って、本発明は上述した課題に鑑みてなされたものであり、その目的は、入力装置から入力された情報の記憶先を柔軟に選択することができる情報入力システム及びその制御方法及び記憶媒体を提供することである。
【課題を解決するための手段】
【０００６】
上述した課題を解決し、目的を達成するために、本発明に係る入力装置は、情報処理装置と接続され、接続された前記情報処理装置に情報を転送可能な入力装置であって、入力された情報を記憶するための記憶手段と、前記情報処理装置が前記入力装置に接続されたか否かを検出する接続検出手段と、前記接続検出手段により前記情報処理装置が前記入力装置に接続されたことを検出した場合に、前記入力された情報を前記記憶手段に記憶した後、前記記憶手段から前記情報処理装置に転送するように制御する制御手段とを具備することを特徴としている。
【０００７】
また、本発明に係る入力装置は、情報処理装置と接続され、接続された前記情報処理装置に情報を転送可能な入力装置であって、入力される情報の記録を指示する記録指示手段と、前記記録指示手段によって記録が指示された情報を記憶するための記憶手段と、前記情報処理装置が前記入力装置に接続されたか否かを検出する接続検出手段と、前記接続検出手段により前記情報処理装置が前記入力装置に接続されたことを検出した後、前記記録指示手段によって記録指示された場合に、記録指示された情報を前記記憶手段には記憶した後、前記記憶手段から前記情報処理装置に転送するように制御する制御手段とを具備することを特徴としている。
【０００８】
また、本発明に係る入力装置は、情報処理装置と接続され、接続された前記情報処理装置に情報を転送可能な入力装置であって、入力された情報を記憶するための記憶手段と、前記情報処理装置が前記入力装置に接続されたか否かを検出する接続検出手段と、前記記憶手段の情報記憶可能領域を検出する有効領域検出手段と、前記接続検出手段により前記情報処理装置が前記入力装置に接続されたことが検出され、且つ前記有効領域検出手段により前記記憶手段に記憶可能領域があることが検出された場合に、前記入力された情報を前記記憶手段に記憶した後、前記記憶手段から前記情報処理装置に転送するように制御する制御手段とを具備することを特徴としている。
【０００９】
また、本発明に係る入力装置は、情報処理装置と接続され、接続された前記情報処理装置に情報を転送可能な入力装置であって、入力される情報の記録を指示する記録指示手段と、前記記録指示手段によって記録が指示された情報を記憶するための記憶手段と、前記情報処理装置が前記入力装置に接続されたか否かを検出する接続検出手段と、前記記憶手段の情報記憶可能領域を検出する有効領域検出手段と、前記接続検出手段により前記情報処理装置が前記入力装置に接続されたことを検出した後に、前記記録指示手段によって記録指示され、且つ前記有効領域検出手段により前記記憶手段に記憶可能領域があることが検出された場合に、記録指示された情報を前記記憶手段に記憶した後、前記記憶手段から前記情報処理装置に転送するように制御する制御手段とを具備することを特徴とする入力装置。
【発明の効果】
【００１０】
本発明によれば、情報処理装置と接続され、接続された前記情報処理装置に情報を転送可能な入力装置において、入力装置と情報処理装置との接続状態に応じて、記録指示される情報を柔軟に処理することを可能とし、さまざまなユーザーニーズに沿った情報入力システムを提供することが可能になる。
【発明を実施するための最良の形態】
【００１１】
以下、本発明の好適な一実施形態について、添付図面を参照して詳細に説明する。
【００１２】
図１は本発明の情報入力システムの一実施形態であるデジタルカメラシステムの構成を示すブロック図である。
【００１３】
本実施形態のデジタルカメラシステムは、大きく分けてデジタルカメラ部と情報処理部に別れる。図中の１００はデジタルカメラ部、１０１はデジタルカメラで撮影した画像データ等を処理、管理するための情報処理部である。情報処理部１０１には、通常コンピュータ（ＰＣ）のようなものを用い、この内部には図示しない演算処理装置（ＣＰＵ）、一次記憶装置（ＲＡＭ）、二次記憶装置（ハードディスク）、操作装置（キーボード、マウス）、そして表示装置（ディスプレイ）等が配置されている。
【００１４】
デジタルカメラ部１００は、レンズ、ＣＣＤ、信号処理回路等、画像データを撮像するためのコンポーネント、及びデジタルカメラ１００全体を制御する制御部１０２ａを収めたデジタルカメラユニット１０２を有している。ここで、従来の構成では、デジタルカメラは、デジタルカメラユニット１０２の他に、着脱不可能な内蔵されたメモリ等の記憶装置１０３及び着脱可能な記憶媒体１０４のみを有し、そのどちらかにデジタルカメラユニット１０２で生成された情報を記録し保存するように構成されていた。
【００１５】
これに対し、本実施形態では、デジタルカメラ１００は、記憶装置１０３及び記憶媒体１０４に加え、更にＰＣとの接続を検出する接続検出装置１０６と記録状況検出装置１０５を備えている。
【００１６】
接続検出装置１０６は、ＰＣとのケーブル接続が行われ、いわゆる物理的に接続が行われた状態のみを検出するだけではなく、ＰＣ上のドライバーソフトウエアや、クライアントアプリケーションソフトウエア等と通信が可能な状態、いわゆる論理的接続が完了したことを検出する。検出方法は、たとえば特定のソフトウエアプロトコルによって論理接続を行う方法や、特定の信号パターンの認識による接続方法等いくつか考えられる。
【００１７】
記録状況検出装置１０５は、着脱不可能な内蔵されたメモリ等の記憶装置１０３または着脱可能な記憶媒体１０４内の空きスペースを検出する装置である。デジタルカメラの種類によっては着脱可能な記憶媒体１０４だけを所有していてもよいし、着脱不可能な内蔵されたメモリ等の記憶装置１０３だけを所有していてもよい。
【００１８】
次に、本実施形態のデジタルカメラシステムの撮影データ保存シーケンスの第１の例について説明する。
【００１９】
図２は、本実施形態のデジタルカメラシステムの撮影データ保存シーケンスの第１の例を示すフローチャートである。
【００２０】
まず、デジタルカメラ１００と情報処理装置１０１を接続した時点で、接続検出装置１０６によりその事実が検出され、内部フラグgConnectionFlagがセットされる。その後ユーザーがデジタルカメラのレリーズスイッチを押し、撮影を行うと（ステップＳ２０１）、画像データは一旦デジタルカメラユニット１０２内の図示しない作業エリア（ＤＲＡＭ）に格納される（ステップＳ２０２）。
【００２１】
その後、上記のgConnectionFlagを参照し（ステップＳ２０３）、もし情報処理装置１０１との接続が行われていなかった場合は、通常のデジタルカメラの保存動作（たとえば記憶装置１０３あるいは記憶媒体１０４に空きが在れば格納し、なければ警告を出す等）を行う（ステップＳ２０５）。そして、もしステップＳ２０３の判断で、情報処理装置１０１と接続されていると判定した場合は、前述した一時的な作業エリア（ＤＲＡＭ）に格納されているデータをそのままケーブルを介して情報処理装置１０１に転送する。
【００２２】
以上は画像データの撮影、保存のシーケンスについての説明であるが、デジタルカメラに音声録音、もしくはその他の情報生成機能がある場合は、それらの情報保存についても同様の手段及び手順で実施できる。この場合、ステップＳ２０１の画像撮影動作をその他の情報生成動作に置き換えるだけでよい。
【００２３】
そうすることで、ユーザーが、ＰＣ等の情報処理装置とデジタルカメラをケーブルで接続して使用するシステムを構築する際に、ユーザーは、何もわずらわしいことをせずに、カメラで撮影した画像データ等の情報をＰＣ等の情報処理装置に即座に転送し、しかもデジタルカメラ内には画像データを記録しないため、デジタルカメラ内に不要なデータをため込むこともなく、また仮にデジタルカメラ内に記憶手段が存在しなくても撮影等の機能を実行できるようになる。
【００２４】
次に、図３は、本実施形態のデジタルカメラシステムの撮影データ保存シーケンスの第２の例を示すフローチャートである。
【００２５】
まず、デジタルカメラ１００と情報処理装置１０１を接続した時点で、接続検出装置１０６によりその事実が検出され、内部フラグgConnectionFlagがセットされる。その後ユーザーがデジタルカメラのレリーズスイッチを押し、撮影を行うと（ステップＳ３０１）、画像データは一旦デジタルカメラユニット１０２内の図示しない作業エリア（ＤＲＡＭ）に格納される（ステップＳ３０２）。
【００２６】
その後、上記のgConnectionFlagを参照し（ステップＳ３０３）、もし情報処理装置１０１との接続が行われていなかった場合は、通常のデジタルカメラの保存動作（たとえば記憶装置１０３あるいは記憶媒体１０４に空きが在れば格納し、なければ警告を出す等）を行う（ステップＳ３０５）。そして、もしステップＳ３０３の判断で、情報処理装置１０１と接続されていると判定した場合は、記録状況検出装置１０５の結果を参照し、画像データを記録する領域がカメラ内部に存在するかどうかを判断する（ステップＳ３０４）。そして記録可能な領域があると判断した場合は、前述した一時的な作業エリア（ＤＲＡＭ）に格納されているデータをカメラ内に存在する着脱不可能な内蔵されたメモリ等の記憶装置１０３、または着脱可能な記憶媒体１０４に保存する（ステップＳ３０６）。そしてその後、データをケーブルを介して情報処理装置１０１に転送する（ステップＳ３０７）。もし、ステップＳ３０４の判断で、カメラ内部に画像データを保存する領域がないと判断された場合は、そのまますぐにケーブルを介して情報処理装置１０１に転送する（ステップＳ３０７）。
【００２７】
以上は画像データの撮影、保存のシーケンスについての説明であるが、デジタルカメラに音声録音、もしくはその他の情報生成機能がある場合は、それらの情報保存についても同様の手段及び手順で実施できる。この場合、ステップＳ３０１の画像撮影動作をその他の情報生成動作に置き換えるだけでよい。
【００２８】
そうすることで、ユーザーが、ＰＣ等の情報処理装置とデジタルカメラをケーブルで接続して使用するシステムを構築する際に、カメラ内部の記録装置にデータを保存しながら情報処理装置に撮影画像等のデータを転送して処理、管理できるようになり、かつ、カメラ内に保存のための容量が不足してしまった際にも、情報処理装置には転送されるため、ユーザーに警告等を表示し、データを失うことなく作業を行うことができる様になる。
【００２９】
図４は、本実施形態のデジタルカメラシステムの撮影データ保存シーケンスの第３の例を示すフローチャートである。
【００３０】
まず、デジタルカメラ１００と情報処理装置１０１を接続した時点で、接続検出装置１０６によりその事実が検出され、内部フラグgConnectionFlagがセットされる。その後ユーザーがデジタルカメラのレリーズスイッチを押し、撮影を行うと（ステップＳ４０１）、画像データは一旦デジタルカメラユニット１０２内の図示しない作業エリア（ＤＲＡＭ）に格納される（ステップＳ４０２）。
【００３１】
その後、上記のgConnectionFlagを参照し（ステップＳ４０３）、もし情報処理装置１０１との接続が行われていなかった場合は、通常のデジタルカメラの保存動作（たとえば記憶装置１０３あるいは記憶媒体１０４に空きが在れば格納し、なければ警告を出す等）を行う（ステップＳ４０５）。そして、もしステップＳ４０３の判断で、情報処理装置１０１と接続されていると判定した場合は、記録状況検出装置１０５の結果を参照し、画像データを記録する領域がカメラ内部に存在するかどうかを判断する（ステップＳ４０４）。そして記録可能な領域があると判断した場合は、上記の一時的な作業エリア（ＤＲＡＭ）に格納されているデータを通常の保存動作としてカメラ内に保存する（ステップＳ４０５）。もし、ステップＳ４０４の判断で、カメラ内部に画像データを保存する領域がないと判断された場合は、そのまますぐにケーブルを介して情報処理装置１０１に転送する（ステップＳ４０６）。この保存する領域がないという判断には、デジタルカメラが、着脱可能な記録媒体しか有していない場合に、着脱可能な記録媒体がデジタルカメラに装着されていない場合も含まれる。
【００３２】
以上は画像データの撮影、保存のシーケンスについての説明であるが、デジタルカメラに音声録音、もしくはその他の情報生成機能がある場合は、それらの情報保存についても同様の手段及び手順で実施できる。この場合、ステップＳ４０１の画像撮影動作をその他の情報生成動作に置き換えるだけでよい。
【００３３】
そうすることで、ユーザーが、ＰＣ等の情報処理装置とデジタルカメラをケーブルで接続して使用するシステムを構築する際に、基本的にはデジタルカメラ内部に撮影画像等のデジタルカメラで生成された情報を保存するシステムにおいて、デジタルカメラ内部に情報を格納する領域が不足もしくは存在していない場合に、情報処理装置を自動的にデータ保存場所として選択し、デジタルカメラの撮影動作等を継続することが可能になる。
【００３４】
図５は、本実施形態のデジタルカメラシステムの撮影データ保存シーケンスの第４の例を示すフローチャートである。
【００３５】
まず、デジタルカメラ１００と情報処理装置１０１を接続した時点で、接続検出装置１０６によりその事実が検出され、内部フラグgConnectionFlagがセットされる。この例の場合、このgConnectionFlagの中に、図６に示すように保存方法設定フィールドがあり、情報処理装置１０１から接続時に指定される保存方法を格納しておく。その後ユーザーがデジタルカメラのレリーズスイッチを押し、撮影を行うと（ステップＳ５０１）、画像データは一旦デジタルカメラユニット１０２内の図示しない作業エリア（ＤＲＡＭ）に格納される（ステップＳ５０２）。
【００３６】
その後、上記のgConnectionFlagを参照し（ステップＳ５０３）、もし情報処理装置１０１との接続が行われていなかった場合は、通常のデジタルカメラの保存動作（たとえば記憶装置１０３あるいは記憶媒体１０４に空きが在れば格納し、なければ警告を出す等）を行う（ステップＳ５０５）。そしてもしステップＳ５０３の判断で、情報処理装置１０１と接続されていると判定した場合は、上記のgConnectionFlag内の保存方法設定フィールドを参照し、Save PCのみ設定されていると判断した場合（ステップＳ５０４）は、前述した一時的な作業エリア（ＤＲＡＭ）に格納されているデータを即座にケーブルを介して情報処理装置１０１に転送する（ステップＳ５０６）。
【００３７】
もし、ステップＳ５０４の判断で、Save Cameraがセットされていると判断された場合は、前述した一時的な作業エリア（ＤＲＡＭ）に格納されているデータをカメラ内に存在する着脱不可能な内蔵されたメモリ等の記憶装置１０３、または着脱可能な記憶媒体１０４に保存する（ステップＳ５０７）。そして、さらに、gConnectionFlag内の保存方法設定フィールドを参照し、Save PCがセットされていると判断した場合は（ステップＳ５０８）、前述の一時的な作業エリア（ＤＲＡＭ）に格納されているデータを、記憶装置１０３あるいは記憶媒体１０４に保存するのと並行して、ケーブルを介して情報処理装置１０１に転送する（ステップＳ５０６）。
【００３８】
以上は画像データの撮影、保存のシーケンスについての説明であるが、デジタルカメラに音声録音、もしくはその他の情報生成機能がある場合は、それらの情報保存についても同様の手段及び手順で実施できる。この場合、ステップＳ５０１の画像撮影動作をその他の情報生成動作に置き換えるだけでよい。
【００３９】
また、以上の説明で、gConnectionFlag内の保存方法設定フィールドを設定するタイミングは情報処理装置１０１との接続時としたが、このgConnectionFlag内の保存方法設定フィールドは接続時以外に情報処理装置１０１から設定してもよい。この場合は情報処理装置１０１とデジタルカメラ１００間で理解可能な保存方法設定手段を設ける必要があるが、それ以外はすべて第４の例と同等で実現できる。
【００４０】
第４の例のようにすることで、ユーザーが、ＰＣ等の情報処理装置とデジタルカメラをケーブルで接続して使用するシステムを構築する際に、デジタルカメラで生成された情報を保存する方法を、情報処理装置からデジタルカメラに対して指定することができ、ユーザーの多様な要求に的確に応えられる柔軟なデジタルカメラシステムを構築することが可能になる。
【００４１】
また、前述した第４の例においては、デジタルカメラが生成したデータの保存場所を指定する保存方法設定手段を情報処理装置１０１から設定する手段として説明したが、この保存方法設定手段をデジタルカメラ側に設けてもいい。この場合は、図７に示すような保存場所選択操作部材があり、これをユーザーが操作することで、保存場所を選択できる。図７では、デジタルカメラに着脱可能な記録媒体が２つ装着できるモデルの例である。情報処理装置１０１がデジタルカメラ１００に接続されると、このメニューの表示内に、“ＰＣ”が追加され、上記の保存場所選択操作部材でユーザーが選択できるようになる。こうすることで、ユーザーはＰＣ等の情報処理装置とデジタルカメラをケーブルで接続して使用するシステムを構築する際に、デジタルカメラで生成された情報を保存する方法を、デジタルカメラ本体でも選択可能になり、操作性が向上する。
【００４２】
また、前述した第１から第４の例において、デジタルカメラ１００にデジタルカメラが生成したデータの保存場所を表示する液晶等の表示デバイスがある場合、前述した第１から第４の例の方法により決定された保存場所を表示するようにしてもいい。この場合、図８に示すように“ＰＣ”、“Ｓｌｏｔ１”、“Ｓｌｏｔ２”のうち、選択された保存場所が点灯するようにする。このようにすることで、カメラを操作しているユーザーに、保存場所を明確に示すことができ、ユーザーに対して保存場所の選択ミスを防止することができる。
【００４３】
なお、上記の実施形態では、本発明をデジタルカメラシステムに適用した場合について説明したが、これに限らず、他の情報入力装置と情報処理装置を用いたシステムにも適用可能である。
【００４４】
（他の実施形態）
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４５】
この場合、記憶媒体から読出されたプログラムコード自体が前述した実施形態の機能を実現することになり、そのプログラムコードを記憶した記憶媒体は本発明を構成することになる。
【００４６】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００４９】
【図１】図１は本発明の情報入力システムの一実施形態であるデジタルカメラシステムの構成を示すブロック図である。
【図２】一実施形態のデジタルカメラシステムの撮影データ保存シーケンスの第１の例を示すフローチャートである。
【図３】一実施形態のデジタルカメラシステムの撮影データ保存シーケンスの第２の例を示すフローチャートである。
【図４】一実施形態のデジタルカメラシステムの撮影データ保存シーケンスの第３の例を示すフローチャートである。
【図５】一実施形態のデジタルカメラシステムの撮影データ保存シーケンスの第４の例を示すフローチャートである。
【図６】第４の例において使用される保存方法指定フィールドを有した接続状態フラグの概念図である。
【図７】第４の例の拡張としてカメラ本体で保存場所選択をする場合のメニュー表示の例を示す図である。
【図８】保存場所表示の例を示す図である。
【符号の説明】
【００５０】
１００  デジタルカメラ
１０１  情報処理装置
１０２  デジタルカメラユニット
１０３  記録装置
１０４  記録媒体
１０５  記録領域状況検出装置
１０６  接続検出装置
【図１】
2006121715.tif 000003
【図２】
2006121715.tif 000004
【図３】
2006121715.tif 000005
【図４】
2006121715.tif 000006
【図５】
2006121715.tif 000007
【図６】
2006121715.tif 000008
【図７】
2006121715.tif 000009
【図８】
2006121715.tif 000010